(57)【特許請求の範囲】
【請求項１】
ロッキング舌状突起（８，９）を有し、ストッパ（４）及び首部（３）を囲むように構成され、及び、前記ストッパ（４）および前記首部（３）を軸方向（Ａ）に、お互いに相対する位置に係止するように構成されるケージ（６）と、
前記ケージ（６）の周囲に固定され、前記ストッパ（４）を介するロッキングキャップ（１）の外側から容器（２）の内側へのアクセスを維持する中央開口部（１７）を有して構成されるリング部材（７）と、
前記中央開口部（１７）を閉鎖するように構成される蓋要素（２３）とを含み、前記ストッパ（４）を前記容器（２）の前記首部（３）に固定するための、首部（３）を有する容器（２）のロッキングキャップ（１）であって、
前記蓋要素（２３）が、前記中央開口部（１７）を覆うのに十分に大きい平らな頭部（２３Ａ）と、前記頭部（２３Ａ）に対して、実質的に垂直に突出する取り付けタブ部（２５）とを有すること、
前記取り付けタブ部（２５）が、前記リング部材（７）の前記中央開口部（１７）の環状の周囲に沿って、所定の間隙をもって複数配置され、かつ、前記リング部材（７）と前記ケージ（６）の間に、万力機構のように、掴持されること、
を特徴とするロッキングキャップ（１）。
【請求項２】
前記リング部材（７）及び前記ケージ（６）により形成される前記万力機構が、前記取り付けタブ部（２５）にクランプ力を発揮するように構成されることを特徴とする請求項１に記載のロッキングキャップ（１）。
【請求項３】
前記リング部材（７）及び前記ケージ（６）により形成される前記万力機構が、前記取り付けタブ部（２５）を前記軸方向（Ａ）に対して傾斜した方向に曲げるように構成されることを特徴とする請求項１又は２に記載のロッキングキャップ（１）。
【請求項４】
前記傾斜方向が、前記軸方向（Ａ）と９０度の角度を成すことを特徴とする請求項３に記載のロッキングキャップ（１）。
【請求項５】
前記取り付けタブ部（２５）が、ビード（２５Ｃ）を備える自由端部（２５Ｂ）を有することを特徴とする請求項１から４の何れか１項に記載のロッキングキャップ（１）。
【請求項６】
前記ビード（２５Ｃ）が、前記ケージ（６）の上方表面と前記リング部材（７）の下方側表面の間の隙間よりも大きいことを特徴とする請求項５に記載のロッキングキャップ（１）。
【請求項７】
前記ロッキング舌状突起（８，９）が、前記ケージ（６）を前記容器（２）の前記首部（３）に係止するように構成される第一のロッキング舌状突起（８）および、前記ストッパ（４）を前記ケージ（６）内に係止するように構成される第二のロッキング舌状突起（９）を含むことを特徴とする、請求項１〜６の何れか１項に記載のロッキングキャップ（１）。
【請求項８】
前記ケージ（６）が、中空で、実質的にシリンダ状の本体をさらに含み、前記第一のロッキング舌状突起（８）および前記第二のロッキング舌状突起（９）が、前記本体から半径方向内方に延在することを特徴とする請求項７に記載のロッキングキャップ（１）。
【請求項９】
前記第一のロッキング舌状突起（８）が、前記第二のロッキング舌状突起（９）から軸方向にオフセットされることを特徴とする請求項７または８に記載のロッキングキャップ（１）。
【請求項１０】
前記ストッパ（４）の足部（４Ｂ）が前記首部（３）に挿入される場合、前記ストッパ（４）の頭部（４Ａ）が、へり（５）から軸方向に所定の間隔をもって配置されるように、前記第一のロッキング舌状突起（８）が、前記容器（２）の前記へり（５）に係合するように構成されることを特徴とする請求項７から９の何れか一項に記載のロッキングキャップ（１）。
【請求項１１】
前記ケージ（６）が、除去力が前記ロッキングキャップ（１）に加えられる場合に前記第一のロッキング舌状突起（８）が前記首部（３）から取り外される前に破壊されるように構成される破断領域（１０Ａ）をさらに含むことを特徴とする請求項７〜１０の何れか１項に記載のロッキングキャップ（１）。
【請求項１２】
前記ケージ（６）が、前記ケージ（６）から半径方向外方に延在する複数のキャッチ要素（１５）をさらに含み、および、前記リング部材（７）が、前記リング部材（７）に対して前記ケージ（６）を軸方向に位置付するように、前記ケージ（６）の複数のキャッチ要素（１５）を受け入れるように構成される複数のノッチ（１９）をさらに含むことを特徴とする請求項１〜１１の何れか１項に記載のロッキングキャップ（１）。
【請求項１３】
前記第二のロッキング舌状突起（９）が、前記ストッパ（４）を前記リング部材（７）内に支持するために前記ストッパ（４）の下方側表面に係合するように構成されることを特徴とする請求項７〜１１の何れか１項に記載のロッキングキャップ（１）。
【請求項１４】
前記破断領域（１０Ａ）が、前記ケージ（６）の残りの部分の第二の断面領域に満たない第一の断面領域を有することを特徴とする請求項１１に記載のロッキングキャップ（１）。
【請求項１５】
前記ケージ（６）が、前記ケージ（６）を貫通して半径方向に延在する開口部（１３）を規定し、および、前記破断領域（１０Ａ）が、前記開口部（１３）と前記ケージ（６）の端面との間に配置されることを特徴とする請求項１１または１４に記載のロッキングキャップ（１）。
【請求項１６】
前記開口部（１３）が複数の開口部を含み、および、前記破断領域（１０Ａ）が前記複数の開口部の間の前記ケージ（６）の第二の厚さに満たない第一の厚さを有することを特徴とする請求項１５に記載のロッキングキャップ（１）。
【請求項１７】
請求項１〜１６の何れか１項に記載のロッキングキャップ（１）を使用して、ストッパ（４）を容器（２）の首部（３）に固定する方法であって、
前記蓋要素（２３）の前記取り付けタブ部（２５）が、前記リング部材（７）の前記中央開口部（１７）を貫通して軸方向（Ａ）に延在するように、前記蓋要素（２３）を、前記リング部材（７）に配置すること、および、
前記蓋要素（２３）の前記取り付けタブ部（２５）が前記リング部材（７）と前記ケージ（６）との間に、万力機構のように、掴持（締付保持）されるように、前記ケージ（６）を、前記リング部材（７）内に挿入すること、
を含むことを特徴とする方法。
【請求項１８】
前記取り付けタブ部（２５）を前記軸方向（Ａ）に対して傾斜した方向に曲げるように、前記取り付けタブ部（２５）を前記ケージ（６）で係合することをさらに含む請求項１７に記載の方法。
【請求項１９】
ストッパ（４）を容器（２）の首部（３）に固定するためのロッキングキャップ（１）であって、前記ロッキングキャップ（１）は、
第一の複数のロッキング舌状突起（８）と、第二の複数のロッキング舌状突起（９）を含み、前記第一の複数のロッキング舌状突起（８）が、前記首部（３）に対して前記ロッキングキャップ（１）を軸方向に位置付けするように前記容器（２）の前記首部（３）に係合するように構成され、前記第二の複数のロッキング舌状突起（９）が、前記ストッパ（４）を、ケージ（６）内に軸方向に位置付けするように係合するように構成されるケージ（６）と、
前記ケージ（６）を囲むように構成され、開口底部と部分的に閉鎖される頂上部を有し、前記部分的に閉鎖される頂上部が、軸方向に前記部分的に閉鎖される頂上部を貫通するように延在する中央開口部（１７）を規定するリング部材（７）と、
前記ストッパ（４）へのアクセスを妨げるために、前記中央開口部（１７）を覆うように構成される頭部（２３Ａ）と、前記中央開口部（１７）を貫通して軸方向（Ａ）に延在するように構成される取り付けタブ部（２５）を含む蓋要素（２３）とを含み、
前記蓋要素（２３）がリング部材（７）に配置され、そして前記ケージ（６）が前記リング部材（７）内に挿入されるとき、前記取り付けタブ部（２５）が前記ケージ（６）と前記リング部材（７）との間にクランプされること
を特徴とするロッキングキャップ（１）。
【請求項２０】
前記取り付けタブ部（２５）が複数の取り付けタブ部（２５）を含み、前記複数の取り付けタブ部（２５）が前記中央開口部（１７）に挿入される場合、前記複数の取り付けタブ部（２５）が、前記中央開口部（１７）のへりの周囲に、お互いに所定の間隔をもって配置されることを特徴とする請求項１９に記載のロッキングキャップ（１）。
【発明の詳細な説明】
【技術分野】
【０００１】
本発明は、首部を有する容器のための取り付けタブ部を有する蓋要素を備えたロッキングキャップに関する。より詳しくは、本発明は、ロッキング舌状突起又はキャッチを有し、ストッパ及び首部を囲むように構成され、ストッパおよび首部を所定の軸方向に、お互いに相対する位置に係止するケージと、ケージの周囲に固定され、ストッパを介するキャップの外側から容器の内側へのアクセスを維持する中央開口部を有して構成されるリング部材と、及び、前記中央開口部を閉鎖するように構成される蓋要素とを含む、ストッパを容器の首部に固定するための、首部を有する容器のモールド成形されたプラスチック材料製ロッキングキャップに関する。
【０００２】
このキャップ、カバー、ないしリッド（lid）は概して、開口部を閉鎖する最初の状態の位置に戻されることなく、不可逆的な形で、所定の位置から分離され得るようにリング部材に固定される。
【０００３】
本発明は、医薬分野において特に使用される首部付き容器のためのロッキングキャップに、より特別に適用される。
【背景技術】
【０００４】
ＦＲ‐２８９３９２２は、キャップ部分がリング部材に溶接されるそのようなロッキングキャップを開示する。容器の内容物にアクセスするために、ユーザは、キャップとリング部材の間の連結を破壊し、その結果、キャップ部分が不可逆的にキャップから分離され、かくて、前記キャップを備える容器の使用を保証する。
【先行技術文献】
【０００５】
【特許文献】
【特許文献１】  仏国特許出願公開公報ＦＲ  ２８９３９２２号
【発明の概要】
【発明が解決しようとする課題】
【０００６】
本発明の目的は、ロッキングキャップからのキャップ部分の不可逆的な分離をも許容する他の形で、キャップ部分がロッキングキャップに取り付けられる、ロッキングキャップを提供することである。
【課題を解決するための手段】
【０００７】
この目的を達成するために、本発明は、以下のロッキングキャップに向けられる。即ち、該ロッキングキャップは、
ロッキングキャッチ部材を有し、ストッパ及び首部を囲むように構成され、及び、ストッパおよび首部を所定の軸方向に、お互いに相対する位置に係止（ロック）するように構成されるケージと、
ケージの周囲に固定され、ストッパを介するロッキングキャップの外側から容器の内側へのアクセスを維持する中央開口部を有して構成されるリング部材と、
前記中央開口部を閉鎖するように構成される蓋要素とを含み、
ストッパを容器の首部に固定するための、首部を有する容器の（モールド）成形されるプラスチック材料製ロッキングキャップであって、
蓋要素が、前記中央開口部を覆うのに十分に大きい平らな頭部と、頭部に対して、実質的に垂直に突出する取り付けタブ部とを有すること、
前記タブ部が、リング部材の中央開口部の環状の周囲に沿って、所定の間隙を有して（複数）配置され、かつ、リング部材とケージの間に、万力機構のように、掴持（締付保持）されること、
を特徴とするものである。
【発明の効果】
【０００８】
本発明によれば、ロッキングキャップからの蓋要素の不可逆的な分離をも許容する形で、蓋要素がロッキングキャップに取り付けられる、ロッキングキャップを提供することができる。
【発明を実施するための形態】
【０００９】
本発明の基礎をなすアイディアは、それ故、蓋要素をロッキングキャップに固定するための取り付けタブ部のクランプシステムによって、蓋要素をロッキングキャップに固定することであり、当該クランプシステムは、各タブ部の両面にクランプ応力を付加し、及び／又は、軸方向に対して傾斜（例えば、垂直）方向にタブ部に曲げ応力を付加し、かくて、ロッキングキャップからの蓋要素の分離を不可逆的な状態にし、そしてまた、新しい蓋要素がロッキングキャップに配置されることを妨げる。
【００１０】
本発明は、取り付けタブ部を有する蓋要素を上記のようなロッキングキャップに固定する方法を含み、以下の構成を有する。
‐蓋要素に、蓋要素の平らな頭部に対して垂直に突出する取り付けタブ部を（複数）備えること、
‐蓋要素をリング部材に配置すること、但し蓋要素のタブ部は、リング部材の中央開口部に向けて軸方向に延在すること、
‐蓋要素のタブ部が、リング部材とケージの間に、万力機構のように、掴持（締付保持）されるように、ケージをリング部材に挿入すること。
さらに本発明は以下の形態が好ましい。
[形態１］
ロッキング舌状突起（８，９）を有し、ストッパ（４）及び首部（３）を囲むように構成され、及び、前記ストッパ（４）および前記首部（３）を軸方向（Ａ）に、お互いに相対する位置に係止するように構成されるケージ（６）と、
前記ケージ（６）の周囲に固定され、前記ストッパ（４）を介するロッキングキャップ（１）の外側から容器（２）の内側へのアクセスを維持する中央開口部（１７）を有して構成されるリング部材（７）と、
前記中央開口部（１７）を閉鎖するように構成される蓋要素（２３）とを含み、前記ストッパ（４）を前記容器（２）の前記首部（３）に固定するための、首部（３）を有する容器（２）のロッキングキャップ（１）であって、
前記蓋要素（２３）が、前記中央開口部（１７）を覆うのに十分に大きい平らな頭部（２３Ａ）と、前記頭部（２３Ａ）に対して、実質的に垂直に突出する取り付けタブ部（２５）とを有すること、
前記取り付けタブ部（２５）が、前記リング部材（７）の前記中央開口部（１７）の環状の周囲に沿って、所定の間隙をもって複数配置され、かつ、前記リング部材（７）と前記ケージ（６）の間に、万力機構のように、掴持されること、
を特徴とするロッキングキャップ（１）。
［形態２］
前記リング部材（７）及び前記ケージ（６）により形成される前記万力機構が、前記取り付けタブ部（２５）にクランプ力を発揮するように構成されることを特徴とする形態１に記載のロッキングキャップ（１）。
［形態３］
前記リング部材（７）及び前記ケージ（６）により形成される前記万力機構が、前記取り付けタブ部（２５）を前記軸方向（Ａ）に対して傾斜した方向に曲げるように構成されることを特徴とする形態１又は２に記載のロッキングキャップ（１）。
［形態４］
前記傾斜方向が、前記軸方向（Ａ）と９０度の角度を成すことを特徴とする形態３に記載のロッキングキャップ（１）。
［形態５］
前記取り付けタブ部（２５）が、ビード（２５Ｃ）を備える自由端部（２５Ｂ）を有することを特徴とする形態１から４の何れか１つに記載のロッキングキャップ（１）。
［形態６］
前記ビード（２５Ｃ）が、前記ケージ（６）の上方表面と前記リング部材（７）の下方側表面の間の隙間よりも大きいことを特徴とする形態５に記載のロッキングキャップ（１）。
［形態７］
前記ロッキング舌状突起（８，９）が、前記ケージ（６）を前記容器（２）の前記首部（３）に係止するように構成される第一のロッキング舌状突起（８）および、前記ストッパ（４）を前記ケージ（６）内に係止するように構成される第二のロッキング舌状突起（９）を含むことを特徴とする、形態１〜６の何れか１つに記載のロッキングキャップ（１）。
［形態８］
前記ケージ（６）が、中空で、実質的にシリンダ状の本体をさらに含み、前記第一のロッキング舌状突起（８）および前記第二のロッキング舌状突起（９）が、前記本体から半径方向内方に延在することを特徴とする形態７に記載のロッキングキャップ（１）。
［形態９］
前記第一のロッキング舌状突起（８）が、前記第二のロッキング舌状突起（９）から軸方向にオフセットされることを特徴とする形態７または８に記載のロッキングキャップ（１）。
［形態１０］
前記ストッパ（４）の足部（４Ｂ）が前記首部（３）に挿入される場合、前記ストッパ（４）の頭部（４Ａ）が、へり（５）から軸方向に所定の間隔をもって配置されるように、前記第一のロッキング舌状突起（８）が、前記容器（２）の前記へり（５）に係合するように構成されることを特徴とする形態７から９の何れか一つに記載のロッキングキャップ（１）。
［形態１１］
前記ケージ（６）が、除去力が前記ロッキングキャップ（１）に加えられる場合に前記第一のロッキング舌状突起（８）が前記首部（３）から取り外される前に破壊されるように構成される破断領域（１０Ａ）をさらに含むことを特徴とする形態７〜１０の何れか１つに記載のロッキングキャップ（１）。
［形態１２］
前記ケージ（６）が、前記ケージ（６）から半径方向外方に延在する複数のキャッチ要素（１５）をさらに含み、および、前記リング部材（７）が、前記リング部材（７）に対して前記ケージ（６）を軸方向に位置付するように、前記ケージ（６）の複数のキャッチ要素（１５）を受け入れるように構成される複数のノッチ（１９）をさらに含むことを特徴とする形態１〜１１の何れか１つに記載のロッキングキャップ（１）。
［形態１３］
前記第二のロッキング舌状突起（９）が、前記ストッパ（４）を前記リング部材（７）内に支持するために前記ストッパ（４）の下方側表面に係合するように構成されることを特徴とする形態７〜１１の何れか１つに記載のロッキングキャップ（１）。
［形態１４］
前記破断領域（１０Ａ）が、前記ケージ（６）の残りの部分の第二の断面領域に満たない第一の断面領域を有することを特徴とする形態１１に記載のロッキングキャップ（１）。
［形態１５］
前記ケージ（６）が、前記ケージ（６）を貫通して半径方向に延在する開口部（１３）を規定し、および、前記破断領域（１０Ａ）が、前記開口部（１３）と前記ケージ（６）の端面との間に配置されることを特徴とする形態１１または１４に記載のロッキングキャップ（１）。
［形態１６］
前記開口部（１３）が複数の開口部を含み、および、前記破断領域（１０Ａ）が前記複数の開口部の間の前記ケージ（６）の第二の厚さに満たない第一の厚さを有することを特徴とする形態１５に記載のロッキングキャップ（１）。
［形態１７］
形態１〜１６の何れか１つに記載のロッキングキャップ（１）を使用して、ストッパ（４）を容器（２）の首部（３）に固定する方法であって、
前記蓋要素（２３）の前記取り付けタブ部（２５）が、前記リング部材（７）の前記中央開口部（１７）を貫通して軸方向（Ａ）に延在するように、前記蓋要素（２３）を、前記リング部材（７）に配置すること、および、
前記蓋要素（２３）の前記取り付けタブ部（２５）が前記リング部材（７）と前記ケージ（６）との間に、万力機構のように、掴持（締付保持）されるように、前記ケージ（６）を、前記リング部材（７）内に挿入すること、
を含むことを特徴とする方法。
［形態１８］
前記取り付けタブ部（２５）を前記軸方向（Ａ）に対して傾斜した方向に曲げるように、前記取り付けタブ部（２５）を前記ケージ（６）で係合することをさらに含む形態１７に記載の方法。
［形態１９］
ストッパ（４）を容器（２）の首部（３）に固定するためのロッキングキャップ（１）であって、前記ロッキングキャップ（１）は、
第一の複数のロッキング舌状突起（８）と、第二の複数のロッキング舌状突起（９）を含み、前記第一の複数のロッキング舌状突起（８）が、前記首部（３）に対して前記ロッキングキャップ（１）を軸方向に位置付けするように前記容器（２）の前記首部（３）に係合するように構成され、前記第二の複数のロッキング舌状突起（９）が、前記ストッパ（４）を、ケージ（６）内に軸方向に位置付けするように係合するように構成されるケージ（６）と、
前記ケージ（６）を囲むように構成され、開口底部と部分的に閉鎖される頂上部を有し、前記部分的に閉鎖される頂上部が、軸方向に前記部分的に閉鎖される頂上部を貫通するように延在する中央開口部（１７）を規定するリング部材（７）と、
前記ストッパ（４）へのアクセスを妨げるために、前記中央開口部（１７）を覆うように構成される頭部（２３Ａ）と、前記中央開口部（１７）を貫通して軸方向（Ａ）に延在するように構成される取り付けタブ部（２５）を含む蓋要素（２３）とを含み、
前記蓋要素（２３）がリング部材（７）に配置され、そして前記ケージ（６）が前記リング部材（７）内に挿入されるとき、前記取り付けタブ部（２５）が前記ケージ（６）と前記リング部材（７）との間にクランプされること
を特徴とするロッキングキャップ（１）。
［形態２０］
前記取り付けタブ部（２５）が複数の取り付けタブ部（２５）を含み、前記複数の取り付けタブ部（２５）が前記中央開口部（１７）に挿入される場合、前記複数の取り付けタブ部（２５）が、前記中央開口部（１７）のへりの周囲に、お互いに所定の間隔をもって配置されることを特徴とする形態１９に記載のロッキングキャップ（１）。
【図面の簡単な説明】
【００１１】
本発明はよりよく理解され、制限されることがなく、添付の図面により例示される実施例の他の有利な点は、実施例の詳細な説明を読むことにより明らかになるであろう。
【図１】  図１は、首部を有する容器に挿入されたストッパに取り付けられた本発明によるロッキングキャップの軸方向断面の略図を表す。
【図２】  図２は、本発明によるロッキングキャップのケージの概略斜視図である。
【図３】  図３は、本発明によるロッキングキャップのリング部材の概略斜視図である。
【図４】  図４は、図３のリング部材の他の概略斜視図である。
【図５】  図５は、本発明によるロッキングキャップの蓋要素の概略斜視図である。
【図６】  図６は、図５の蓋要素の他の概略斜視図である。
【図７】  図７は、蓋要素により閉鎖され、ストッパに取り付けられた、本発明によるロッキングキャップの軸方向断面の略図を表す。
【実施例】
【００１２】
図１は、ストッパ４を容器２の首部３に固定するための、本発明による首部３を有する容器２のためのロッキングキャップ１を図示し、ここで表されるロッキングキャップ１は、係止されないで単に首部３に配置されている。
【００１３】
ロッキングキャップ１が容器２の首部３に係止（ロック）される場合、ここでは円形の（中央）開口部を有する首部３は、その端で、ロッキングキャップ１がそれ自体を固定する外側周辺へり（周縁径大部）５を有する。ここでは、ストッパ４は、通常の、一般的にシリンダ状の、頭部４Ａ及び足部４Ｂを有する「Ｔ」字形を有し、その頭部は、その直径が、足部４Ｂよりも僅かに大きく、かくて、ストッパ４の足部４Ｂが首部３に挿入されるとき、頭部４Ａは、首部３のへり（周縁径大部）５に対して当接する。
【００１４】
図１に見られるように、ロッキングキャップ１は、容器２にロッキングキャップ１が係止（ロック）された状態において、ストッパ４及び首部３を囲むように適合されるケージ６及び、ケージ６を覆って入れ子にするように適合され、ケージ６を囲むリング部材７を含む。ケージ６は、ケージ６の周囲に配置される可撓性のある舌状突起８、９によって、ストッパ４を首部３に固定する働きをする。ロッキングキャップ１の取り付けられた状態において、リング部材７は、ケージ６に完全に側方に重なり、それによって、リング部材７の外側から、ケージ６及び舌状突起８、９への如何なるアクセスも妨げる。
【００１５】
加えて、本発明によって、ロッキングキャップ１は、リング部材７とケージ６の間にクランプされる、取り外し可能な安全蓋要素２３を備える。
【００１６】
図２に見られるように、ケージ６は、軸方向Ａに延在し、ケージ６の網の目状の開口部に相当する第一及び第二の開口部１３、１４の間に形成する複数の実質的に同一の腕１２によりお互いに接続される２つの円環部（circlet）１０、１１を含む。
【００１７】
ここで、容器２の首部３に最初に挿入される第一の下方の円環部１０及び、直径が第一の円環部１０よりも好ましくは小さいく、ロッキングキャップ１がストッパ４に取り付けられるとき、ストッパ４の頭部４Ａの上方部分４Ｃに当接するように意図される第二の上方円環部１１が図示される。円環部１１は、ロッキングキャップ１が首部３に配置されるとき、ストッパ４及び容器２にアクセスすることを許容するために、容器２の首部３と同軸上である、（上部中央）開口部１１Ａ（ここでは、円形に表される）を、ケージ６の中央に有する。
【００１８】
円環部１１及び腕１２は、ケージ６がリング部材７に挿入されるときに、これらが潰れないように、十分に硬いことが理解されよう。
【００１９】
ここには、円環部１０、１１の周囲にわたって、均等に分配される６つの腕１２が表されるが、これらの数は、本発明の枠組みから逸脱することなく、変更することが可能である。
【００２０】
図２において視覚可能なように、ここでは各３つある、容器２の首部３に固定するように適合される第一の可撓性のある舌状突起８及びストッパ４に固定するように適合される第二の可撓性のある舌状突起９が、好ましくは交互に、２つの連続した腕１２の間の円環部１０の周囲に配置される。
【００２１】
第一及び第二の舌状突起８、９は、ケージ６の網の目状の（側部）開口部として形成される第一及び第二の開口部１３、１４にそれぞれ傾いて配置され、円環部１０により保持され、ケージ６の内側に向けて、第二の円環部１１を指向して延在する。このようにして、ケージ６が首部３又はストッパ４に外挿されるとき、第一及び第二の舌状突起８、９は、第一の段階において、それぞれ第一及び第二の開口部１３、１４に向けて弾性的に撓み、実質的に腕１２に対して平行な位置となり、続いて、第二の段階において、それらの傾けられた位置を回復し、ケージ６をそれぞれ首部３又はストッパ４に係止（ロック）する。
【００２２】
図２において視覚可能なように、第一の舌状突起８は、第二の舌状突起９に対して軸方向Ａにオフセットして配される。より正確には、第二の舌状突起９は、第二の円環部１１の方向に上昇し、かくて、第二の舌状突起９の端と円環部１１の間の距離は、第二の舌状突起９と円環部１１の間にストッパ４の頭部４Ａを係止するように、ストッパ４の頭部４Ａの高さに実質的に一致する。同様に、第一の舌状突起８の端と円環部１１の間の距離は、ロッキングキャップ１が首部３に係止されるとき、第一の舌状突起８を容器２の首部３のへり（径大部）５に対して係止するように適合される。
【００２３】
図２に表されるように、網の目状の開口部の厚さと比較して比較的薄い第一の円環部１０の領域１０Ａが、各第一の舌状突起８の両側に配置され、かくて、各舌状突起８の側でカットダウン（cut-down）を形成し、これら領域を、容器２からケージ６を取り除こうとするときに生じる破断領域とする。領域１０Ａは、ケージ６の最も小さい壁断面を表すことが理解されよう。かくて、軸方向の力または他の力のケージ６への付加により、首部３にロッキングキャップ１が係止されると、第一の舌状突起８は、へり５により保持され、それによって、領域１０Ａにおいて、ねじれトルクを生み出す。１つ以上のこれら領域１０Ａは、続いて、ねじれの効果を受けて壊れ、それにより容器２が開封されたことを示すことができる。ここで、舌状突起８の高さは、舌状突起８が容器２の首部３のへり５の下を通過可能なように形成され、ケージ６において行われる引張りは、へり５の下で、舌状突起８が回転する原因となり、かくて、更に、領域１０Ａにおけるねじれ効果が増加することに留意されたい。
【００２４】
第一の舌状突起８及び対応する開口部１３は、ここでは、第二の舌状突起９及び対応する開口部１４よりも広く、かくて、ケージ６が、ストッパ４に固定されるよりも、首部３によりしっかりと固定されることが可能となることに留意されたい。
【００２５】
図２において見られるように、ケージ６の各腕１２は更に、第一の円環部１０に向けて外側に傾斜し、リング部材７をケージ６に固定するための外側に正（凸）（positive）のキャッチ要素１５を備え、キャッチ要素１５の傾斜は、リング部材７へのケージ６の挿入を容易にする働きをする。
【００２６】
ケージ６の各腕１２が、ロッキングキャップ１の取り付けられる位置において、ストッパ４を所定の位置にクランプするように意図される内部バルジ（膨出）１２Ａによって、第二の円環部１１に接するその上方位置のレベルで、補強されることも図２においてまた見られる。
【００２７】
加えて、ロッキングキャップ１を形成するためのケージ６及びリング部材７の組み立ての間、自動の組み立て装置に対してケージ６を正しい位置におくことを助けるように意図される個々のノッチ１６（ここでは、合計３つ）が、各第二の舌状突起９と反対側に、ケージ６の円環部１０に形成される。
【００２８】
図２において更に見られるように、ケージの中央開口部１１Ａの頂端は、面取りされた（傾斜された）環状の肩部３０を形成する。この面取りされた肩部は、蓋要素２３の取り付けタブ部の噛合着座（seat）を改善するために、環状の経路（channel）又は溝（groove）（図示せず）によって、外側に向って縁取られ得る。肩部３０は、かくて、蓋要素２３の取り付けタブ部が図１及び図７を参照して下に記載されるように掴持（締付保持）される、万力機構の一面を形成するテーパー（又は広がった）外側表面を有する。
【００２９】
図３は、ロッキングキャップ１の取り付けられた状態において、舌状突起８、９にアクセスすることを妨げる目的でケージ６を囲む、連続的で、実質的にシリンダ状の表面を有するスリーブ（ないしカップ状）の形のリング部材７を表す。
【００３０】
リング部材７は、リング部材７の中央に、（中央）開口部１７を位置させるように、最初にケージ６に外挿される開放底端部７Ａ及び部分的に閉鎖される頂端部７Ｂを有する。かくて、リング部材７がケージ６の上に入れ子にされるとき、リング部材７の頂端部７Ｂが、ケージ６に部分的に重なり、それぞれリング部材７の中央開口部１７とケージ６の中央開口部１１Ａは同軸となる。ロッキングキャップ１が首部３に取り付けられるとき、かくて、中央開口部１７、１１Ａは、首部３と同軸となり、ストッパ４及び容器２にアクセスすることを許容する。
【００３１】
リング部材７の中央開口部１７は、底端部を有し、これはまた、蓋要素２３の取り付けタブ部が掴持される万力機構の第二の面を形成する環状肩部１８を形成する。本実施例では、ここでは、２つの環状肩部１８及び３０は、円形であり、キャップの取り付けられる位置において、お互いに同軸である。取り付けタブ部２５が万力機構の締付面（faces）ないし締付顎（jaws）の間にクランプされるようにケージ６とリング部材７は、お互いに関して調整することもまた可能である。クランピングの代わりに、又はクランピングに加えて、万力機構は、軸方向Ａに対して傾斜した方向（例えば、直交方向、即ち、軸方向Ａに対して９０度の角度を形成する）に、取り付けタブ部２５の末端の部分を曲げるように構成されることも提供され得る。
【００３２】
加えて、リング部材７は、リング部材７をケージ６に係止（ロック）する連結装置を形成するために、ケージ６のキャッチ要素１５と連携（係合）するように構成されたノッチ１９をその内壁に備える。ノッチ１９は、小型のロッキングキャップ１を作るために、及び、不純物がロッキングキャップ１の内部に入らないようにするために、好ましくは、めくら状（有底  blind）とし、即ち、これらは、リング部材７の壁を最後まで貫通しないようにする。
【００３３】
リング部材７は、更に、ケージ６がリング部材７に挿入されるとき、リング部材７に相対するケージ６の位置調節を案内するために、ケージ６の腕１２の間に差し込むことが意図される内部ガイド２０、２１を、その内壁に備える。内部ガイド２０、２１は、好ましくは、開口部１３、１４にそれぞれ適合する寸法を有する（これらは、ロッキングキャップ１が首部３に外挿されるとき、舌状突起８、９が開口部１３、１４に向けて（半径方向外方へ）撓むことを可能にするために、開口部１３、１４の高さに満たない軸方向Ａの高さを有する）ことが理解されよう。リング部材７及びケージ６の一方が他方の内部に入れ子にされる場合、ケージ６の隣接する腕１２に対して、それぞれ、ケージ６の網の目状の開口部の側方にガイド２０、２１自体を位置調節する各ボスの対が各ガイド２０、２１に表される。ここで、これらボスは、リング部材７へのケージ６の案内が更にし易いように、腕１２に当接する側に傾斜形状（斜面）を有する。
【００３４】
図４に表されるように、リング部材７の頂端部７Ｂは、（上部）中央開口部１７を縁取り、２つの実質的に平行な側部（辺）２２Ａを形成するように切欠きされた肩部２２（この場合円形である）を備え、かくて、自動の組み立て装置に相対してリング部材７を正しい位置に置くための手段（位置決め）を提供する。肩部２２は、一旦ロッキングキャップ１が組み立てられると、Ａ方向に、蓋要素２３とリング部材７の間に空間を作る働きをする。
【００３５】
図５は、リング部材の中央開口部１７を閉鎖するための取り外し可能なリッドとして働く蓋要素２３又はカバーを表す。この蓋要素は、非作業位置において、蓋要素の平らな頭部２３Ａに対して垂直に突出するタブ部２５（複数）を有する。平らな頭部２３Ａ及びタブ部２５を有する蓋要素２３は、ここでは、単一に成形される部品として形成される。平らな頭部２３Ａは、円盤形状又は他の（例えば、セクター部２４を有する）より複雑な形状を有することができる。タブ部２５は、環状に、そしてリング部材７の取り付けられる位置に分配され、これらは、リング部材７の中央開口部１７の周囲に沿って分配される。図５に視覚可能なように、タブ部２５は、非作業位置においては、垂直であり、かくて、シリンダ状の形状を示す。図５は、８つのタブ部２５を有する蓋要素２３を表し、これらは傾斜し、及び／又は、ロッキングビード（膨出部）２５Ｃを備える自由端部２５Ｂを有し得る。ロッキングビード２５Ｃは好ましくは、リング部材７の環状肩部１８とケージ６の面取りされた環状肩部３０の間の空間よりも大きい寸法を有し、これは、更にロッキングキャップ１の保護を向上させる。
【００３６】
図６は、蓋要素２３の上面２３Ｂ（ここでは、補強スタッドの形であり、ロッキングキャップ１から蓋要素２３が取り除かれるときに蓋要素２３を握り易くするための掴持要素２６を備え得る）を表す。掴持要素はまた、例えば、円弧状ビードのような、上昇するビードの形であり得、又は、蓋要素２３の掴持がし易いレリーフ（relief）を有する任意の要素であり得る。
【００３７】
ケージ６及びリング部材７の全体としてのシリンダ状形状は、ロッキングキャップ１を、へり付き円状首部３（lipped circular neck 3）を有する全ての種類の容器２に適合させることができ、ロッキングキャップ１又はストッパ４のどちらかを首部３の正しい位置に置くことを必要としないことが理解されよう。同様に、蓋要素２３が円形であるおかげで、リング部材７上での蓋要素２３の好ましい角度方向というのは存在しない。
【００３８】
ロッキングキャップ１のケージ６、リング部材７及び蓋要素２３は、好ましくは、プラスチック材料をモールド成形することによって作成され、必要であれば、凍結乾燥過程に耐えるように適合される。特に、ケージ６のプラスチック材料は硬く、かくて、上で前に記載されたねじれは、弾性的に変形するというよりも、破断領域１０Ａを破壊する原因となる。
【００３９】
ケージ６、リング部材７及び蓋要素２３のそれぞれの形状は、比較的単純であり、かくて、単一のコアを有する二重キャビティ型（モールド）の使用及び軸方向の型抜き（axial stripping）を許容し、それ故、簡単で高価でない製造を許容する。加えて、これら要素の単純化された形状は、有利に、ロッキングキャップ１の製造に必要な材料の量を減少させることを可能にする。
【００４０】
ロッキングキャップ１のリング部材、ケージ及びリッドの組み立て作業は、図１、５及び７を参照してより詳細に、実際に記載される。
【００４１】
図５に見られるように、蓋要素２３は、蓋要素の平らな頭部２３Ａに関して軸方向に延在する垂直な取り付けタブ部２５を第一に備える。
【００４２】
この蓋要素２３は、続いて、リング部材７に配置され、図７に表されるように、蓋要素の十分に大きな頭部２３Ａは、リング部材７の中央開口部１７を覆い（cover）、Ａ方向に軸方向に延在する蓋要素２３のタブ部２５は、リング部材７の中央開口部１７を貫通する。
【００４３】
ケージ６は、続いて、図７に表されるように、ケージ６の開口部１３及び１４がリング部材７の各ボス２０、２１に合わされるまで進んで、Ａ方向にリング部材７に挿入される。
【００４４】
リング部材７にケージ６が挿入される間に、リング部材７の環状肩部１８及びケージ６の面取りされた環状肩部３０は、お互いに近づくように作られており、図１に表されるように、蓋要素２３の各タブ部２５が、それぞれ、リング部材７及びケージ６の向かい合う２つの表面の間に、万力機構のように、保持されるという効果を有する。
【００４５】
ケージ６がリング部材７の内部の当接部に達するとき、蓋要素２３の取り付けタブ部２５が、ここでは、タブ部の中間の部分において曲がる（撓む）ことにより変形し、タブ部２５がロッキングキャップ１の外側に向けて軸方向Ａから９０度に外に広がる形状となり、かくて、リング部材７とケージ６の間に蓋要素２３をクランプする効果をもたらす。必要であれば、取り付けタブ部２５の自由端部２５Ｂにおいて、ビードがケージ６の溝に挿入され得る。
【００４６】
リング部材７とケージ６の間の取り付けタブ部２５の万力様（vice-like）の掴持は、取り付けタブ部２５の弾性限界を越えることができ、その結果、蓋要素２３がロッキングキャップ１から分離されるとき、蓋要素２３の取り付けタブ部２５は、曲がった状態を維持する結果となることに留意すべきである。かくて、一旦蓋要素２３が、ロッキングキャップ１から分離されると、ロッキングキャップ１のリング部材７とケージ６の間に戻されることはもはや不可能である。この効果は、取り付けタブ部２５の自由端部２５Ｂにおけるビードの存在により強調され得ることが理解されよう。
【００４７】
ケージ６がリング部材７の内側の当接部に達するとき、ケージ６のキャッチ要素１５は、それら自体を、リング部材７のノッチ１９に噛合し（seat in）、かくて、ケージ６がリング部材７の所定の位置に係止（ロック）され、蓋要素２３が、ケージ６とリング部材７の間にクランプされることを維持する。
【００４８】
ストッパ４の頭部４Ａは、続いて、ストッパ４の上方部分４Ｃが、ケージ６の上方円環部１１に接触するまで、ケージ６に挿入され得る。ストッパ４が挿入されると、第二の舌状突起９は、弾性的に変形し、ストッパを通過させ、続いて、一旦ストッパ４が所定の位置に配置されると、それら突起の最初の形状に戻り、図１に示される位置でストッパ４を係止するように、ストッパ４の頭部４Ａの後ろで正に係合する。ストッパ４は、続いて、図７で示される位置で、バルジ部１２Ａにより、ケージ６内でストッパ４の周囲にわたって固定される。
【００４９】
ロッキングキャップ１及びストッパ４により形成された組み立て産物は、続いて、矢印Ａの向きと反対方向に軸圧力を蓋要素２３に加えることにより簡単にストッパ４の足部４Ｂを容器２の首部３に挿入することで、容器２に取り付けられ得、それによって、首部３のへり５を通り抜けるように、第一の舌状突起８に力を加え、弾性的に変形させて、続いて、首部３の後ろで正に（突起を介して  positively）係合し、キャップ１を首部３に係止するようにそれら第一の舌状突起８の最初の形状に復原する。同時に、第二の舌状突起９は、部分的に、容器２の首部３に対して撓む。
【００５０】
ケージ６がストッパ４を首部３に係止する働きをし、リング部材（筒状ないしカップ状部材）７がケージ６及び、特に、舌状突起８、９への如何なるアクセスも妨げるので、ストッパ４及びロッキングキャップ１に基づく不法開封防止（タンパー防止  tamper-proof）による漏れ止め（leaktight）によって、結果として容器２は閉となる。ケージ６が、それ故、容器２、ストッパ４及び、蓋要素２３を備える第二のリング部材７を互いに固定するリンクとして働き、第二のリング部材７が予防手段として働くことが理解されよう。
【００５１】
いくつかの医薬的な応用に関して、容器２の内容物を凍結乾燥する必要があり得る。その場合、凍結乾燥用の内容物が、滅菌容器２に導入された後に、ロッキングキャップ１に係止されたストッパ４の足部４Ｂは、首部３の最後まで押し込むこと無しに、首部３に第一の舌状突起８を係合させることなく、首部３に配置される（図１に表される位置）。ストッパ４の足部４Ｂにある開口部（図示せず）は、続いて、所望の凍結乾燥を進めることができる。一旦凍結乾燥が行われると、ロッキングキャップ１を有するストッパ４は、上述のように、残りの長さ（ストローク）を首部３に押し込まれ、かくて、容器２を密封する。
【００５２】
容器２の内容物にアクセスすることが希望されるとき、蓋要素２３は、例えば、蓋要素のセクター部２４での引張りによって、ロッキングキャップから分離される。その後、ストッパ４の上部位置４Ｃは、針で、容器２に貫通するように穴が開けられることのみが必要である。容器２の内容物は、続いて使用され、必要であれば、水を加えて元に戻される（rehydrate）。
【００５３】
容器２からロッキングキャップ１を取り除く如何なる試みも、ケージ６の破断領域１０Ａに損傷を与える結果となるであろうから、容器２の単回使用が保障される。
【００５４】
ストッパ４が、ロッキングキャップ１を形成するためのケージ６、リング部材７及び蓋要素２３の組み立て後にロッキングキャップ１に挿入されるので、使用前に、ロッキングキャップ１及びストッパ４は、有利に個別に保存され得ることもまた留意されたい。
【００５５】
本発明が前述の実施例の記載に限定されることはないことは言うまでも無く、それ故、本発明の枠組みから逸脱することが無い、いくつかの修正が可能である。
【符号の説明】
【００５６】
１    ：ロッキングキャップ
２    ：容器
３    ：首部
４    ：ストッパ
６    ：ケージ
７    ：リング部材
８、９    ：舌状突起
１７    ：中央開口部
２３    ：蓋要素
２３Ａ    ：平らな頭部
２５    ：取り付けタブ部
２５Ｂ    ：自由端部
２５Ｃ    ：ビード（膨出部）
【図１】
0005519015.tif 000002
【図２】
0005519015.tif 000003
【図３】
0005519015.tif 000004
【図４】
0005519015.tif 000005
【図５】
0005519015.tif 000006
【図６】
0005519015.tif 000007
【図７】
0005519015.tif 000008